(57)【要約】【課題】ＳＤアップコンバート映像の検出効率を上げることができる映像処理装置を実現する。【解決手段】映像処理装置（１００）は、サイドパネル検出部（１１２）による算出結果と、エッジ検出部（１１４）による算出結果とを基に、映像にサイドパネルが存在し、かつ、映像にエッジ成分が大きい画素が少ない場合に、その映像はＳＤ映像がアップコンバードされた映像であると判定する映像判定部（１０６）と、を備える。【選択図】図１
2014195163.tif 000002
【特許請求の範囲】
【請求項１】
ＳＤ映像がアップコンバードされた映像とＨＤ映像とで異なる画質調整処理を施す画質処理手段を備えた映像処理装置において、
入力映像を構成するフレームのサイドパネル領域における各画素の輝度値から、当該輝度値が所定の第１閾値よりも小さい画素の割合である第１割合を算出する、あるいは、上記フレーム内の各画素のフレーム間の輝度差である第１輝度差を求め、当該第１輝度差がゼロの画素の割合である第２割合を算出する第１算出手段と、
上記フレーム内の各画素について、同フレーム内で隣接する画素との間の輝度差である第２輝度差を求め、当該第２輝度差が所定の第２閾値以上である画素の割合である第３割合を算出する第２算出手段と、
上記第１算出手段による算出結果、および上記第２算出手段による算出結果に基づいて、上記入力映像が、ＳＤ映像がアップコンバードされた映像であるのか、ＨＤ映像であるのかを判定する映像判定手段と
を備えていることを特徴とする映像処理装置。
【請求項２】
上記映像判定手段は、
上記第１割合が所定の第３閾値以上、あるいは上記第２割合が所定の第４閾値以上であり、かつ、上記第３割合が所定の第５閾値よりも小さい場合に、上記入力映像はＳＤ映像がアップコンバードされた映像であると判定することを特徴とする請求項１に記載の映像処理装置。
【請求項３】
上記入力映像はテレビジョン放送信号に含まれる映像であり、
上記テレビジョン放送信号に含まれる映像の番組の種別を示すジャンル情報を取得するジャンル取得手段と、
上記ジャンル情報に応じて上記第３閾値、第４閾値および第５閾値の少なくとも１つを変更する閾値変更手段と、を備えることを特徴とする請求項２に記載の映像処理装置。
【請求項４】
上記閾値変更手段は、
上記ジャンル情報が映画の場合には、他のジャンル情報のときよりも上記第３閾値および上記第４閾値が大きくなるよう変更し、
上記ジャンル情報がドラマの場合には、他のジャンル情報のときよりも上記第５閾値が小さくなるよう変更し、
上記ジャンル情報がバラエティあるいはニュースの場合には、他のジャンル情報のときよりも上記第３閾値、上記第４閾値、および上記第５閾値が大きくなるように変更し、
上記ジャンル情報が無い場合には、ジャンル情報があるときよりも上記第３閾値、上記第４閾値、および上記第５閾値が小さくなるように変更する、ことを特徴とする請求項３に記載の映像処理装置。
【請求項５】
上記画質処理手段は、ＳＤ映像がアップコンバードされた映像にはＨＤ映像よりも強く、ノイズ除去処理およびエンハンス処理を施す、ことを特徴とする請求項１から４のいずれか１項に記載の映像処理装置。
【発明の詳細な説明】
【技術分野】
【０００１】
本発明は、映像に応じた画質処理を施す映像処理装置に関する。
【背景技術】
【０００２】
近年、テレビジョン受像機に入力される映像には、ＨＤ（High Definition）映像だけでなく、ＳＤ（Standard Definition）映像をＨＤ映像にアップコンバートしたＳＤアップコンバート映像が含まれている。ＳＤアップコンバード映像は、特にＣＭなどで、アナログ起因（ＹＣ分離起因）のドット妨害ノイズが散見されたり、スケーリング処理の性能によってはボケたりと、画質が悪く、ユーザにとって視認性の悪いものとなっている。
【０００３】
そこで、例えば、特許文献１，２に記載されるようなアップコンバート映像を検出するための技術が開発されており、さらに、例えば、特許文献１，３に記載されるような、アップコンバード映像に適切な画質処理を施すための技術が開示されている。
【先行技術文献】
【特許文献】
【０００４】
【特許文献１】特開２００９−１５０２５号公報（２００９年１月２２日公開）
【特許文献２】特開２００４−２８９７５３号公報（２００４年１０月１４日公開）
【特許文献３】特開２０１０−１９９９７６号公報（２０１０年９月９日公開）
【発明の概要】
【発明が解決しようとする課題】
【０００５】
しかしながら、特許文献１に記載の技術では、ローパスフィルタ、ハイパスフィルタを通すことによって閾値を越えた映像信号の有無から入力映像がアップコンバート変換された映像であるかを検出しているため、画面内での信号変化が少ない（べったりした）ＨＤ映像が、ＳＤアップコンバード映像と誤判定（誤検出）されることがある。また、特許文献２に記載の技術では、送信側で付加されるヘッダー情報からサイドパネルが付加されていると検出した場合には、アップコンバートされた映像であると判定している。よって、送信映像の付加情報と実映像のマッチングが確実でない場合や、サイドパネルにデータやテロップ情報などを載せた１０８０Ｉ映像として創出されている映像については、誤判定されることがある。なお、特許文献３には、アップコンバート映像を検出するための技術は開示されていない。
【０００６】
ＨＤ映像がＳＤアップコンバード映像と誤判定されると、映像に適切な画質処理を行うことができない。例えば、誤判定されたＨＤ映像に、本来ならばＳＤアップコンバード映像を対象とすべき画質処理としてノイズ除去を強くかけると、ボケ感や尾引きが生した映像となってしまう。また、誤判定されたＨＤ映像に、本来ならばＳＤアップコンバード映像を対象とすべき画質処理としてエンハンス処理にてエッジにシュートを付けると、ギラつきのある映像が発生してしまう。
【０００７】
本発明は、上記の問題に鑑みてなされたものであり、その目的は、ＳＤアップコンバート映像の検出効率を上げることができる映像処理装置を実現することにある。
【課題を解決するための手段】
【０００８】
上記の課題を解決するために、本発明の一態様に係る映像処理装置は、ＳＤ映像がアップコンバードされた映像とＨＤ映像とで異なる画質調整処理を施す画質処理手段を備えた映像処理装置において、入力映像を構成するフレームのサイドパネル領域における各画素の輝度値から、当該輝度値が所定の第１閾値よりも小さい画素の割合である第１割合を算出する、あるいは、上記フレーム内の各画素のフレーム間の輝度差である第１輝度差を求め、当該第１輝度差がゼロの画素の割合である第２割合を算出する第１算出手段と、上記フレーム内の各画素について、同フレーム内で隣接する画素との間の輝度差である第２輝度差を求め、当該第２輝度差が所定の第２閾値以上である画素の割合である第３割合を算出する第２算出手段と、上記第１算出手段による算出結果、および上記第２算出手段による算出結果に基づいて、上記入力映像が、ＳＤ映像がアップコンバードされた映像であるのか、ＨＤ映像であるのかを判定する映像判定手段とを備えることを特徴としている。
【発明の効果】
【０００９】
本発明の一態様に係る映像処理装置の上記構成によると、第１算出手段による算出結果として、入力映像のサイドパネル領域にサイドパネル（黒帯あるいは帯状の静止画）があるか否かの判断材料を提供できる。また、第２算出手段による算出結果として、入力映像のエッジ成分の強い画素の割合が所定値以上か否かの判断材料を提供することがきる。そして、映像判定手段は、第１および第２算出手段の算出結果に基づいて、入力映像が、ＳＤ映像がアップコンバードされた映像であるのか、ＨＤ映像であるのかを判定する。
【００１０】
ここで、ＳＤ映像がアップコンバートされた映像は、４：３の映像が１６：９にアップコンバートされているため、両サイド（サイドパネル領域）にサイドパネルが付加されている（図２参照）。また、ＳＤ映像としての解像度しかないため、エッジがボケている、つまり、エッジ成分が強い画素が少ない。そこで、映像判定手段は、第１および第２算出手段の算出結果から、サイドパネルを有し、かつ、エッジ成分が強い画素を所定値以上含んでいない（エッジ成分が弱い画素を多く含んでいる）入力映像を、ＳＤ映像がアップコンバードされた映像であると判定できる。
【００１１】
このように上記構成によると、サイドパネルおよびエッジ成分という２つの要素を用いて映像の判定を行う。そのためＨＤ映像をＳＤ映像がアップコンバードされた映像であると誤判定（誤検出）してしまうことを防ぐことができ、ＳＤ映像をアップコンバートした映像の検出効率を上げることができる。
【図面の簡単な説明】
【００１２】
【図１】本発明の一実施形態に係るテレビジョン受像機および映像処理装置の要部構成を示すブロック図である。
【図２】入力映像を構成するフレームのサイドパネル領域を説明する図である。
【図３】フレームのサイドパネル領域に黒帯が存在する場合の、当該サイドパネル領域の画素についての輝度ヒストグラムの一例を示す図であり、
【図４】（ａ），（ｂ）は、フレームのサイドパネル領域に静止画のサイドパネルが存在する場合の、当該サイドパネル領域の画素についての輝度ヒストグラムの一例を示す図であり、（ａ）は時系列で（ｂ）よりも前のものである。
【図５】（ａ），（ｂ）は、フレームに含まれる画素についてのエッジヒストグラムの一例を示す図であり、（ａ）は、ＨＤ映像のフレーム、（ｂ）は、ＳＤ映像をアップコンバートした映像のフレームの例を示す。
【図６】本実施形態に係る映像処理装置による映像処理の流れを示すフローチャートである。
【図７】本発明の別の実施形態に係るテレビジョン受像機および映像処理装置の要部構成を示すブロック図である。
【発明を実施するための形態】
【００１３】
〔実施の形態１〕
本発明の一実施形態について、図１〜６に基づいて説明すれば、以下のとおりである。
【００１４】
（テレビジョン受像機）
図１は、本実施形態に係るテレビジョン受像機１０の要部構成を示すブロック図である。テレビジョン受像機１０は、入力された映像の画質を改善する映像処理装置１００と、例えば液晶ディスプレイやプラズマディスプレイ、有機ＥＬディスプレイなど表示部３００と、映像処理装置１００から順次出力されるフレームで示される画像を表示部３００に表示させることで、当該複数のフレームにより構成される映像を表示させる表示制御部２００とを備えている。なお、テレビジョン受像機１０は、映像処理装置１００を実装した点以外は、一般的なテレビジョン受像機と同様の構成であり、例えば、音声出力部、操作部、チューナ、電源部等の構成を備えているが、その説明は省略する。
【００１５】
（映像処理装置）
映像処理装置１００は、入力された映像信号の画質を改善し、映像を構成する複数のフレーム（フレーム画像）を表示制御部２００に順次出力する。フレームは、所定数の画素の各々における複数色の濃度値を示す画像データで構成される。映像処理装置１００は、図１に示すように、検出部１０４、映像判定部１０６、および画質処理部１０８を備えている。なお、本実施形態では、テレビジョン受像機１０が映像処理装置１００を有する構成とするが、映像処理装置１００は、テレビジョン受像機１０以外でも、映像信号を扱う各種映像機器において利用可能である。
【００１６】
（映像取得部）
映像取得部１０２は、処理対象の映像信号（映像データ）を取得するブロックである。例えば、映像取得部１０２は、テレビジョン受像機１０が備えるチューナによって受信された映像信号や、テレビジョン受像機１０に接続された外部機器（例えば、ＨＤＤ（Hard Disk Drive）レコーダ、ＢＤ（Blu-ray Disc（登録商標））レコーダ等）から入力された映像信号、テレビジョン受像機１０に装着された各種記録媒体（ＨＤＤ、光学ディスク、メモリカード等）に記録されている映像信号等を取得する。映像取得部１０２が取得する映像の種類および格納先は、上記に限定されない。
【００１７】
また、映像取得部１０２が取得した映像信号が、何らかの符号化方式（例えば、ＭＰＥＧ−１、ＭＰＥＧ−２、Ｈ．２６４／ＭＰＥＧ−４．ＡＶＣ等）によって符号化されている場合がある。この場合、映像取得部１０２が取得した映像信号を、その映像信号に適用されている符号化方式に応じた復号化方法により、復号化する複合化部（図示せず）を設けておき、復号化された信号を検出部１０４に送信すればよい。
【００１８】
（検出部）
検出部１０４は、映像取得部１０２によって取得された映像信号が表す映像（入力映像）の各種特徴量を検出するブロックである。検出部１０４は、サイドパネル検出部（第１算出手段）１１２、エッジ検出部（第２算出手段）１１４を備えている。
【００１９】
（サイドパネル検出部）
サイドパネル検出部１１２は、図２に示すような、入力映像を構成するフレーム（フレーム画像）のサイドパネル領域Ｒ１，Ｒ２における各画素の輝度値から、当該輝度値が所定の第１閾値よりも小さい画素の割合である第１割合を算出する。サイドパネル検出部１１２は、例えば、サイドパネル領域Ｒ１，Ｒ２における各画素の輝度値の度数分布を示すヒストグラムを作成し、当該ヒストグラムを用いて第１割合を算出する。サイドパネル領域Ｒ１，Ｒ２にサイドパネルとしての黒帯が有る場合、サイドパネル領域Ｒ１，Ｒ２における各画素の輝度値のヒストグラムは、図３に示すように、ほとんどの画素が輝度値の低いビンに含まれることになる。そのため、第１閾値を低い輝度値にしておくことで、第１割合が多い程、黒帯（サイドパネル）がある、すなわち、ＳＤ映像をアップコンバートした映像である可能性が高くなる。よって、サイドパネル検出部１１２による算出（検出）結果である第１割合は、以下で説明する映像判定部１０６の判断材料となる。
【００２０】
また、サイドパネル検出部１１２は、フレーム内の各画素のフレーム間の輝度差である第１輝度差を求め、当該第１輝度差がゼロの画素の割合である第２割合を算出する。サイドパネル検出部１１２は、例えば、サイドパネル領域Ｒ１，Ｒ２におけるフレーム内の各画素のフレーム間の輝度値の度数分布を示すヒストグラムを作成し、当該ヒストグラムを用いて第２割合を算出する。サイドパネル領域Ｒ１，Ｒ２に黒帯以外のサイドパネルが有る場合、サイドパネルはほとんどの場合静止画である。そのため、サイドパネル領域Ｒ１，Ｒ２の輝度値は、図４の（ａ），（ｂ）に示すように、フレーム間で変化しない。なお、図４の（ｂ）が現在のフレーム、図４の（ａ）が時系列で図４の（ｂ）の前のフレームである。そのため、第１輝度差がゼロの画素の割合である第２割合が多い、つまり、フレーム間の輝度値の差が無いほど、サイドパネル領域Ｒ１，Ｒ２に静止画（サイドパネル）がある、ＳＤ映像をアップコンバートした映像である可能性が高くなる。よって、サイドパネル検出部１１２による算出（検出）結果である第２割合は、以下で説明する映像判定部１０６の判断材料となる。
【００２１】
サイドパネル検出部１１２は、第１割合および第２割合の両方を算出してもよいし、片方を算出してもよい。
【００２２】
このように、サイドパネル検出部１１２は、サイドパネル領域Ｒ１，Ｒ２にサイドパネルがあるか否かの判断材料を算出するブロックである。
【００２３】
（エッジ検出部）
エッジ検出部１１４は、フレーム内の各画素について、同フレーム内で隣接する画素との間の輝度差である第２輝度差を求め、当該第２輝度差が所定の第２閾値以上である画素の割合である第３割合を算出する。例えば、エッジ検出部１１４は、フレームのエッジヒストグラムを作成して第３割合を算出する。エッジヒストグラムとは、フレームの各画素についての、隣接する画素との輝度の差分値である第２輝度差を統計することによって得られる、当該第２輝度差の度数分布を示すものである。第２輝度差として、水平方向に隣接する画素との輝度の差分値を用いてもよいし、水平方向以外の方向（垂直方向、斜め方向）に隣接する画素との輝度の差分値を用いてもよい。
【００２４】
エッジヒストグラムの一例を図５の（ａ），（ｂ）に示す。ＨＤ映像であると、例えば、図５の（ａ）に示すように、エッジ成分が強い（エッジ強度が大きい）画素が多いヒストグラムとなるのに対し、ＳＤ映像をアップコンバートした映像であると、例えば、図５の（ｂ）に示すように、エッジ成分が強い画素が少ないヒストグラムとなる。よって、第２閾値は、ある程度大きくする必要がある。第２閾値以上である画素の割合である第３割合が少ない、つまり、エッジ成分の強い画素が少ないほど、ＳＤ映像をアップコンバートした映像である可能性が高くなる。よって、エッジ検出部１１４による算出（検出）結果である第３割合は、以下で説明する映像判定部１０６の判断材料となる。
【００２５】
このように、エッジ検出部１１４は、フレームがエッジ成分の強い画素を所定値以上含んでいるか否かの判断材料を算出するブロックである。
【００２６】
（映像判定部）
映像判定部１０６は、サイドパネル検出部１１２およびエッジ検出部１１４の算出（検出）結果に基づいて、入力映像が、ＳＤ映像がアップコンバードされた映像であるのか、ＨＤ映像であるのかを判定するブロックである。
【００２７】
ここで、図２に示すように、ＳＤ映像がアップコンバートされた映像は、４：３の映像が１６：９にアップコンバートされているため、両サイド（サイドパネル領域）にサイドパネルが付加されている。また、ＳＤ映像としての解像度しかないため、エッジがボケている、つまり、エッジ成分が強い画素が少ない。そこで、映像判定手段は、サイドパネル検出部１１２およびエッジ検出部１１４の算出結果から、サイドパネルを有し、かつ、エッジ成分が強い画素を所定値以上含んでいない（エッジ成分が弱い画素を多く含んでいる）入力映像を、ＳＤ映像がアップコンバードされた映像であると判定できる。
【００２８】
具体的には、映像判定部１０６は、サイドパネル検出部１１２が算出した第１割合が所定の第３閾値以上、あるいは第２割合が所定の第４閾値以上であり、かつ、エッジ検出部１１４が算出した第３割合が所定の第５閾値より小さい場合に、入力映像はＳＤ映像がアップコンバードされた映像であると判定する。つまり、映像判定部１０６は、第１割合が所定の第３閾値以上、あるいは第２割合が所定の第４閾値以上の場合には、フレームの両サイドにあるサイドパネル領域Ｒ１，Ｒ２にサイドパネルが存在すると判断できる。また、第３割合が所定の第５閾値より小さい場合には、入力映像はエッジ成分の弱い画素を多く含んでいると判断できる。これら判断を基に、映像判定部１０６は、サイドパネルを有し、かつ、エッジ成分が強い画素を多く含んでいない入力映像を、ＳＤ映像がアップコンバードされた映像と判別することができる。
【００２９】
また、サイドパネル検出部１１２が算出した第１割合が所定の第３閾値より小さい、あるいは第２割合が所定の第４閾値より小さく、かつ、エッジ検出部１１４が算出した第３割合が所定の第５閾値以上である場合に場合は、映像判定部１０６は、入力映像はＨＤ映像であると判定する。
【００３０】
以上のように、本実施形態の映像処理装置１００によると、サイドパネルおよびエッジ成分という２つの要素を用いて映像の判定を行う。そのためＨＤ映像をＳＤ映像がアップコンバードされた映像であると誤判定（誤検出）してしまうことを防ぐことができ、ＳＤ映像をアップコンバートした映像の検出効率を上げることができる。
【００３１】
なお、サイドパネル検出部１１２、エッジ検出部１１４、および映像判定部１０６が参照する各閾値は、メモリ等に予め格納されているものであり、適宜変更され得るものである。例えば、入力映像の種類や映像処理装置１００が実装される映像機器の種類に応じて、各閾値に適切な値を設定することが好ましい。
【００３２】
（画質処理部）
画質処理部１０８は、映像判定部１０６の判定結果、すなわち、ＳＤ映像がアップコンバードされた映像とＨＤ映像とで異なる、それぞれに適した画質処理を施すブロックである。画質処理部１０８は、エンハンス処理部１２２と、ノイズ除去部１２４とを備える。
【００３３】
（エンハンス処理部）
エンハンス処理部１２２は、入力映像に対して輪郭を強調するためのエンハンス処理を行うブロックである。エンハンス処理としては、公知技術を用いることができ、例えば、シャープネス処理、サブピクセルレンダリング処理、コアリング設定、階調スムーサ処理などを適宜行えばよい。エンハンス処理部１２２は、ＳＤ映像がアップコンバードされた映像には、ＨＤ映像よりも強くエンハンス処理を施す。
【００３４】
（ノイズ除去部）
ノイズ除去部１２４は、入力映像に対してノイズを減らすためのノイズ除去処理を行うブロックである。ノイズ除去処理としては、公知技術を用いることができ、例えば、３ＤＮＲ、２ＤＮＲ、ドットノイズキャンセラ（ＰＨ１-ＬＤＡ２機能）、ＭＰＥＧ  ＮＲなどを用いることができる。ノイズ除去部１２４は、ＳＤ映像がアップコンバードされた映像には、ＨＤ映像よりも強くノイズ除去処理を施す。
【００３５】
（映像処理の流れ）
次に、図６を参照して、本実施形態に係る映像処理装置１００による映像処理の流れについて説明する。図６は、本実施形態に係る映像処理装置１００による映像処理の流れを示すフローチャートである。
【００３６】
まず、処理対象の映像信号を取得すると（ステップ１、以降ではＳ１のように略す）、入力映像のサイドパネル領域にサイドパネルが有るか否かの検出するサイドパネル検出を行う（Ｓ２）。そして、入力映像にエッジ成分が強い画素があるか否かを検出するエッジ検出を行う（Ｓ３）。その後、Ｓ２およびＳ３の検出結果に基づき、入力映像が、ＳＤ映像がアップコンバードされた映像であるのか、ＨＤ映像であるのかの判定である、映像判定を行う（Ｓ４）。そして、Ｓ４の映像判定の結果に応じて入力映像に対して画質処理を行う（Ｓ５）。なお、Ｓ６は、実施の形態２での処理であるため、実施の形態２にて説明する。
【００３７】
なお、上記映像処理は、ある１つのフレームについての映像処理を説明するものである。ここで、映像信号が、テレビジョン放送信号の一番組の信号である場合、同一の番組内で映像はＨＤ映像かＳＤ映像かどちらかに統一されていることが多い。そのため、一番組の始めのフレームに対して映像判定を行った後は、他のフレームには映像判定を行わず、その番組の始めのフレームに対する映像判定の結果に応じた画質処理を、その番組に含まれる映像全てに行うようにすればよい。
【００３８】
あるいは、入力映像を構成する複数のフレーム全てに、上記映像処理を繰り返し行ってもよい。この際、映像処理装置１００は、映像処理を１フレーム単位で行ってもよく、複数フレーム単位で行ってもよい。また、映像処理装置１００は、表示される直前のフレームに対して、上記映像処理を行ってもよく、フレームメモリ等に格納されているフレームに対して、映像処理を行ってもよい。
【００３９】
〔実施の形態２〕
本発明の別の実施形態について、図７に基づいて説明すれば、以下の通りである。なお、説明の便宜上、実施の形態１にて説明した図面と同じ機能を有する部材については、同じ符号を付記し、その説明を省略する。
【００４０】
（映像処理装置）
図７は、本実施形態に係るテレビジョン受像機１０ａおよび映像処理装置１００ａの要部構成を示すブロック図である。の構成を示すブロック図である。図７に示されるように、テレビジョン受像機１０ａは実施の形態１のテレビジョン受像機１０ａ（図１参照）と比較して、映像処理装置１００ａの構成が異なる。映像処理装置１００ａは、実施の形態１の映像処理装置１００に加え、ジャンル情報取得部（ジャンル情報取手段）１１０および閾値変更部（閾値変更手段）１１１を備えている。また、映像判定部１０６ａは、映像判定部１０６と比較して、検出部１０４からの信号に加え、閾値変更部１１１からの信号に基づき映像の判定を行う点で相違する。
【００４１】
（ジャンル情報取得部）
ジャンル情報取得部１１０は、映像取得部１０２によって取得された映像信号が表す入力映像がテレビジョン放送信号に含まれる映像である場合（映像取得部１０２が取得した映像信号がテレビジョン放送信号である場合）に、このテレビジョン放送信号に含まれる映像の番組の種別を示すジャンル情報を取得するブロックである。ジャンル情報には、例えば、映画、ドラマ、ニュース、バラエティ等がある。
【００４２】
（閾値変更部）
閾値変更部１１１は、ジャンル情報取得部１１０が取得したジャンル情報に応じて上記第３閾値、第４閾値および第５閾値の少なくとも１つを変更するブロックである。
【００４３】
ここで、映画の映像は、意図的に黒帯をつけられていたり、リマスターされていたりする場合が多い。そのため、例えば、ジャンル情報取得部１１０がジャンル情報として「映画」を取得すると、閾値変更部１１１は、他のジャンル情報のときよりも上記第３閾値および上記第４閾値が大きくなるよう変更する。このように変更することで、映像判定部１０６ａによる、ＳＤ映像がアップコンバードされた映像であることの判定を、しにくくすることができ、誤判定を防ぐことができる。
【００４４】
また、昔のドラマの映像はノイズやボケがきつくてもそのまま再放送される。そのため、例えば、ジャンル情報取得部１１０がジャンル情報として「ドラマ」を取得すると、閾値変更部１１１は、他のジャンル情報のときよりも上記第５閾値が小さくなるよう変更する。このように変更することで、映像判定部１０６ａによる、ＳＤ映像がアップコンバードされた映像であることの判定を、しやすくすることができる。
【００４５】
また、バラエティあるいはニュースの映像は、昔の映像を流すことは稀である。そのため、例えば、ジャンル情報取得部１１０が、ジャンル情報として「バラエティ」あるいは「ニュース」を取得すると、閾値変更部１１１は、他のジャンル情報のときよりも上記第３閾値、上記第４閾値、および上記第５閾値が大きくなるように変更する。このように変更することで、映像判定部１０６ａによる、ＳＤ映像がアップコンバードされた映像であることの判定を、しにくくすることができ、誤判定を防ぐことができる。
【００４６】
また、昔の番組をそのまま再放送している場合には、ジャンル情報がないことが多い。そのため、例えば、ジャンル情報取得部１１０がジャンル情報を取得しない場合、閾値変更部１１１は、ジャンル情報があるときよりも上記第３閾値、上記第４閾値、および上記第５閾値が小さくなるように変更する。このように変更することで、映像判定部１０６ａによる、ＳＤ映像がアップコンバードされた映像であることの判定を、しやすくすることができる。
【００４７】
本実施形態での映像処理は、図６に示すように、実施の形態１の映像処理で行われるＳ１〜Ｓ５の処理に加え、映像取得部１０２が取得した映像信号（テレビジョン放送信号）からジャンル情報を取得する（Ｓ６）。そして、Ｓ４では、Ｓ６で取得したジャンル情報に応じて変更された第３閾値、第４閾値および第５閾値を用いて、映像判定を行う。
【００４８】
〔ソフトウェアによる実現例〕
上記映像処理装置１００、１００ａは、集積回路（ＩＣチップ）等に形成された論理回路（ハードウェア）によって実現してもよいし、ＣＰＵ（Central Processing Unit）を用いてソフトウェアによって実現してもよい。
【００４９】
本実施形態では、ＣＰＵ（Central Processing Unit）を用いてソフトウェアによって実現する。そのため、映像処理装置１００、１００ａは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５０】
〔まとめ〕
本発明の態様１に係る映像処理装置１００は、ＳＤ映像がアップコンバードされた映像とＨＤ映像とで異なる画質調整処理を施す画質処理手段を備えた映像処理装置において、入力映像を構成するフレームのサイドパネル領域における各画素の輝度値から、当該輝度値が所定の第１閾値よりも小さい画素の割合である第１割合を算出する、あるいは、上記フレーム内の各画素のフレーム間の輝度差である第１輝度差を求め、当該第１輝度差がゼロの画素の割合である第２割合を算出する第１算出手段と、上記フレーム内の各画素について、同フレーム内で隣接する画素との間の輝度差である第２輝度差を求め、当該第２輝度差が所定の第２閾値以上である画素の割合である第３割合を算出する第２算出手段と、上記第１算出手段による算出結果、および上記第２算出手段による算出結果に基づいて、上記入力映像が、ＳＤ映像がアップコンバードされた映像であるのか、ＨＤ映像であるのかを判定する映像判定手段とを備えている。
【００５１】
上記構成によると、第１算出手段による算出結果として、入力映像のサイドパネル領域にサイドパネル（黒帯あるいは帯状の静止画）があるか否かの判断材料を提供できる。また、第２算出手段による算出結果として、入力映像のエッジ成分の強い画素の割合が所定値以上か否かの判断材料を提供することがきる。そして、映像判定手段は、第１および第２算出手段の算出結果に基づいて、入力映像が、ＳＤ映像がアップコンバードされた映像であるのか、ＨＤ映像であるのかを判定する。
【００５２】
ここで、ＳＤ映像がアップコンバートされた映像は、４：３の映像が１６：９にアップコンバートされているため、両サイド（サイドパネル領域）にサイドパネルが付加されている（図２参照）。また、ＳＤ映像としての解像度しかないため、エッジがボケている、つまり、エッジ成分が強い画素が少ない。そこで、映像判定手段は、第１および第２算出手段の算出結果から、サイドパネルを有し、かつ、エッジ成分が強い画素を所定値以上含んでいない（エッジ成分が弱い画素を多く含んでいる）入力映像を、ＳＤ映像がアップコンバードされた映像であると判定できる。
【００５３】
このように上記構成によると、サイドパネルおよびエッジ成分という２つの要素を用いて映像の判定を行う。そのためＨＤ映像をＳＤ映像がアップコンバードされた映像であると誤判定（誤検出）してしまうことを防ぐことができ、ＳＤ映像をアップコンバートした映像の検出効率を上げることができる。
【００５４】
本発明の態様２に係る映像処理装置１００では、態様１において、上記映像判定手段は、上記第１割合が所定の第３閾値以上、あるいは上記第２割合が所定の第４閾値以上であり、かつ、上記第３割合が所定の第５閾値よりも小さい場合に、上記入力映像はＳＤ映像がアップコンバードされた映像であると判定してもよい。
【００５５】
上記構成によると、映像判定手段は、第１割合が所定の第３閾値以上、あるいは第２割合が所定の第４閾値以上の場合には、入力映像を構成するフレームのサイドパネル領域にサイドパネルが存在すると判断できる。また、第３割合が所定の第５閾値よりも小さい場合には、入力映像はエッジ成分の弱い画素を多く含んでいると判断できる。これら判断を基に、サイドパネルを有し、かつ、エッジ成分が強い画素を多く含んでいない入力映像を、ＳＤ映像がアップコンバードされた映像と判別することができる。
【００５６】
本発明の態様３に係る映像処理装置１００ａは、態様１または２において、上記入力映像はテレビジョン放送信号に含まれる映像であり、上記テレビジョン放送信号に含まれる映像の番組の種別を示すジャンル情報を取得するジャンル取得手段と、上記ジャンル情報に応じて上記第３閾値、第４閾値および第５閾値の少なくとも１つを変更する閾値変更手段と、を備えてもよい。
【００５７】
上記構成によると、映像の番組の種別を示すジャンル情報に応じて第３閾値、第４閾値および第５閾値の少なくとも１つを変更する。ジャンル情報に応じて判定基準である閾値を変更することで、ＳＤ映像がアップコンバードされた映像であるのか、ＨＤ映像であるのかを判定を、より精度よく行うことができる。
【００５８】
本発明の態様４に係る映像処理装置１００ａでは、態様３において、上記閾値変更手段は、上記ジャンル情報が映画の場合には、他のジャンル情報のときよりも上記第３閾値および上記第４閾値が大きくなるよう変更し、上記ジャンル情報がドラマの場合には、他のジャンル情報のときよりも上記第４閾値が小さくなるよう変更し、上記ジャンル情報がバラエティあるいはニュースの場合には、他のジャンル情報のときよりも上記第３閾値、上記第４閾値、および上記第５閾値が大きくなるように変更し、上記ジャンル情報が無い場合には、ジャンル情報があるときよりも上記第３閾値、上記第４閾値、および上記第５閾値が小さくなるように変更してもよい。
【００５９】
ここで、映画の映像は、意図的に黒帯をつけられていたり、リマスターされていたりする場合が多い。そのため、上記構成によると、ジャンル情報が「映画」である場合、他のジャンル情報のときよりも第３閾値および上記第４閾値が大きくなるよう変更して、ＳＤ映像がアップコンバードされた映像であることの判定をしにくくすることで、誤判定を防ぐことができる。
【００６０】
また、昔のドラマの映像はノイズやボケがきつくてもそのまま再放送される。そのため、上記構成によると、ジャンル情報が「ドラマ」の場合、他のジャンル情報のときよりも上記第５閾値が小さくなるよう変更して、ＳＤ映像がアップコンバードされた映像であることの判定をしやすくすることができる。
【００６１】
また、バラエティあるいはニュースの映像は、昔の映像を流すことは稀である。そのため、上記構成によると、ジャンル情報が「バラエティ」あるいは「ニュース」の場合、他のジャンル情報のときよりも上記第３閾値、上記第４閾値、および上記第５閾値が大きくなるように変更して、ＳＤ映像がアップコンバードされた映像であることの判定をしにくくすることで、誤判定を防ぐことができる。
【００６２】
また、昔の番組をそのまま再放送している場合には、ジャンル情報がないことが多い。そのため、上記構成によると、ジャンル情報がない場合、ジャンル情報があるときよりも上記第３閾値、上記第４閾値、および上記第５閾値が小さくなるように変更して、ＳＤ映像がアップコンバードされた映像であることの判定をしやすくすることができる。
【００６３】
本発明の態様５に係る映像処理装置１００，１００ａでは、態様１から４のいずれか１つにおいて、上記画質処理手段は、ＳＤ映像がアップコンバードされた映像にはＨＤ映像よりも強く、ノイズ除去処理およびエンハンス処理を施してもよい。
【００６４】
上記構成によると、ＳＤ映像がアップコンバードされた映像に対して、ＨＤ映像よりも強くイズ除去処理およびエンハンス処理を施すことで、ＳＤ映像がアップコンバードされた画質を向上させ、視認性を上げることができる。
【００６５】
本発明の態様６に係るテレビジョン受像機１０，１０ａは、態様１から５のいずれか１つに記載の映像処理装置１００，１００ａを備えている。
【００６６】
本発明の態様７に係る映像処理方法は、ＳＤ映像がアップコンバードされた映像とＨＤ映像とで異なる画質調整処理を施す映像処理方法において、入力映像を構成するフレームのサイドパネル領域における各画素の輝度値から、当該輝度値が所定の第１閾値よりも小さい画素の割合である第１割合を算出する、あるいは、上記フレーム内の各画素のフレーム間の輝度差である第１輝度差を求め、当該第１輝度差がゼロの画素の割合である第２割合を算出する第１算出ステップと、上記フレーム内の各画素について、同フレーム内で隣接する画素との間の輝度差である第２輝度差を求め、当該第２輝度差が所定の第３閾値以上である画素の割合である第２割合を算出する第２算出ステップと、上記第１算出ステップでの算出結果、および上記第２算出ステップでの算出結果に基づいて、上記入力映像が、ＳＤ映像がアップコンバードされた映像であるのか、ＨＤ映像であるのかを判定する映像判定ステップと、を含んでいる。
【００６７】
上記方法によると、上記映像処理装置と同様の効果を奏し、ＳＤアップコンバート映像の検出効率を上げることができる。
【００６８】
また、本発明の各態様に係る映像処理装置１００，１００ａは、コンピュータによって実現してもよく、この場合には、コンピュータを映像処理装置１００，１００ａが備える各手段として動作させることにより映像処理装置１００，１００ａをコンピュータにて実現させる映像処理装置１００，１００ａの制御プログラム、およびそれを記録したコンピュータ読み取り可能な記録媒体も本発明の範疇に入る。
【００６９】
本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７０】
本発明は、映像信号を扱う各種映像機器において利用可能であり、テレビジョン受像機、表示装置、各種レコーダ、各種再生装置等において好適に利用可能である。
【符号の説明】
【００７１】
１０，１０ａ  テレビジョン受像機
１００，１００ａ  映像処理装置
１０２  映像取得部
１０４  検出部
１０６  映像判定部（映像判定手段）
１０８  画質処理部
１１１  閾値変更部（閾値変更手段）
１１２  サイドパネル検出部（第１算出手段）
１１４  エッジ検出部（第２算出手段）
【図１】
2014195163.tif 000003
【図２】
2014195163.tif 000004
【図３】
2014195163.tif 000005
【図４】
2014195163.tif 000006
【図５】
2014195163.tif 000007
【図６】
2014195163.tif 000008
【図７】
2014195163.tif 000009